(57)【要約】      （修正有）【課題】独立して流通価値を有する金カードおよびその発行機を提供する。【解決手段】純金フィルムを貼付した金カードをプラスチックフィルムでラミネートする。金カードが複数枚ストックされた金カード収納部と、紙幣投入部と、投入された紙幣が設定金額の紙幣であるか否かを判定する検知部と、投入された紙幣が設定金額の紙幣であると判定したとき、上記金カードを１枚だけ排出する排出部とを備える。【選択図】図１
0003163155.tif 000002
【実用新案登録請求の範囲】
【請求項１】
台紙に形成した凹所に純金フィルムを貼付し、その表面を透明プラスチックフィルムでラミネートした金カード。
【請求項２】
台紙に形成した凹所に純金フィルムを貼付し、その表面を透明プラスチックフィルムでラミネートした金カードが複数枚ストックされた金カード収納部と、紙幣投入部と、投入された紙幣が設定金額の紙幣であるか否かを判定する検知部と、投入された紙幣が設定金額の紙幣であると判定したとき、上記金カードを１枚だけ排出する排出部とを備えた金カード発行機であって、
上記金カード収納部に収納された金カードはキャッシュバックを示すキャッシュバック表示が印刷されたものを含む金カード発行機。
【考案の詳細な説明】
【技術分野】
【０００１】
この考案は金カードおよび金カードの発行機、詳しくは純金フィルムが貼付された金カードおよびキャッシュバック方式にて金カードを販売する金カードの発行機に関する。
【背景技術】
【０００２】
従来の金カードとしては例えばＰＶＣを材料として磁気ストライプ加工、バーコード加工、金のスタンピング加工（箔押し加工）がされ、さらにフィルムでラミネートされたものが知られている。
このものは、例えば会員制サービス業などでのメンバーズカードなどとして使用されている。
【考案の概要】
【考案が解決しようとする課題】
【０００３】
しかしながら、このような金カードはいわゆる装飾として金のスタンピング加工が施されているにとどまり、そのカード自体としては価値を有するものではなかった。
【０００４】
そこで、考案者は、鋭意研究の結果、純金フィルムを台紙に貼付することにより、カード自体が価値を有する金カードを作製し、これを流通させることができることを知見してこの考案を完成させた。
【０００５】
この考案は、カード自体として価値を有する金カードおよびこの金カード発行機を提供することを目的としている。
【課題を解決するための手段】
【０００６】
請求項１に記載の考案は、台紙に形成した凹所に純金フィルムを貼付し、その表面を透明プラスチックフィルムでラミネートした金カードである。純金フィルムの厚みは任意である。純金フィルムの平面形状も任意であるが、矩形に限られず、例えば人相、顔形を模しても良い。例えばアニメのキャラクタの外形などである。なお、金貨を凹部に封入して金カードとすることもできる。この場合、金カードの表裏面は共に平坦面で構成する必要がある。
【０００７】
請求項１に記載の考案によれば、換金可能な純金フィルムを金カードとして用いるため、金カード自体を流通過程に置くことができる。例えば０．１ｇ〜５．０ｇの重さの純金（１８Ｋ，２４Ｋなど）フィルム（箔）を使用することができる。金価額は市況により変動することはもちろんであり、金カード自体の価値も金価額に対応して変動することとなる。
なお、箔（フィルム）に代えて薄板、あるいは、例えば人形形状に成形した金を凹部に封入することもできる。例えば大黒天の顔などを模した金フィルムまたは金薄板をその形状に相似した凹部に埋め込み、これをラミネートすることもできる。
【０００８】
請求項２に記載の考案は、台紙に形成した凹所に純金フィルムを貼付し、その表面を透明プラスチックフィルムでラミネートした金カードが複数枚ストックされた金カード収納部と、紙幣投入部と、投入された紙幣が設定金額の紙幣であるか否かを判定する検知部と、投入された紙幣が設定金額の紙幣であると判定したとき、上記金カードを１枚だけ排出する排出部とを備えた金カード発行機であって、上記金カード収納部に収納された金カードはキャッシュバックを示すキャッシュバック表示が印刷されたものを含む金カード発行機である。
キャッシュバックとは、特定のキャッシュバック印刷表示がされた金カードであれば、その印刷表示に基づいてキャッシュバックが受けられることを意味する。例えば１０倍表示であれば、１０枚分の金カードまたは投入金額の１０倍のキャッシュがバックされることとなる。この表示は、台紙表面に印刷することができるが、凹部に印刷し、純金フィルムを剥がして確認するようにすることもできる。なお、ストッカ（収納部）にストックされた金カードは、投入された紙幣と同様に有価であり、金カード発行機自体のセキュリティを万全なものとすることはもちろんである。例えば耐火性、耐久性の高いボックスにこれらの金カードや紙幣の各ストッカを収容することもできる。
検知部については、いずれも公知の光学系、電子技術を用いて構成するものとする。例えばＣＣＤ素子などを用いた検知ユニット、また判定用基板などを使用する。
投入金額は例えば紙幣の種類により決定することができ、例えば１０００円、５０００円などとすることができる。また、１０ドル紙幣、２０ドル紙幣などと設定することもできる。また、金カードに貼付する純金フィルムの重量は例えば０．２ｇなどと設定することもできる。
【考案の効果】
【０００９】
請求項１〜２に記載の考案によれば、金カードを流通過程に置くことができ、金カード自体に価値を持たせることができる。また、金カードの流通においてキャッシュバックシステムを採用することができ、金カード自体の魅力を高めることができる。
【図面の簡単な説明】
【００１０】
【図１】この考案の一実施例に係る金カードを示す斜視図である。
【図２】この考案の一実施例に係る金カード自動販売機を示すその斜視図である。
【考案を実施するための最良の形態】
【００１１】
以下、この考案に係る金カードおよび金カード発行機（自販機）の一実施例を図面を参照して具体的に説明する。
【実施例】
【００１２】
図１において、１０は金カードを示す。この金カード１０は、所定厚さの矩形のオフセット印刷用紙で形成された台紙１１を有している。台紙１１の表面にはキャッシュバック表示部１２と矩形の凹所１３とが設けられており、この凹所１３の底面（矩形）には矩形の純金フィルム１４が貼付されている。純金フィルム１４は専用台紙に貼付してこの凹所１３に埋設してもよい。
このように純金フィルム１４が貼付された台紙１１はその表裏面が所定厚さの透明なプラスチックフィルム１５でラミネートされている。なお、半透明なフィルムでラミネートしてもよい。
上記金カード１０にあって凹所１３の形成位置はカード中心（長辺の２等分線と短辺のそれとが交差する位置およびその周囲）から外れた偏心位置としてある。これにより金カード１０に外力（曲げ）が作用しても純金フィルム１４が凹所１３の底面から剥離しにくい（中心位置に配置した場合に比較して）という利点を有している。純金フィルム１４を専用台紙に貼り埋設した場合では、この専用台紙が剥離し難いこととなる。
【００１３】
図２において、１００は金カード１０の発行機（自販機）を示す。この金カード発行機１００は、矩形筐体からなる本体１０１にあって、その内部に上記金カード１０が多数枚ストックされた金カード収納部１１０と、紙幣２２０が投入される紙幣投入部１２０と、投入された紙幣が設定金額の紙幣であるか否かを判定する（識別処理を行う）検知部１３０と、投入された紙幣が設定金額の紙幣であると判定したとき、上記ストックされた金カード１０を１枚だけ排出する排出部１４０とを備えている。
この金カード収納部１１０に整列して積層等されて収納された多数枚の金カード１０にあっては、その表面にキャッシュバックを示すキャッシュバック表示（例えば１０の数字など）がそのキャッシュバック表示部１２に印刷されたものと、キャッシュバック表示が印刷されておらず、または単に０の数字が印字された金カード１０とを含むこととなる。例えば１０の表示は投入紙幣２２０が千円札の場合、１０倍の１万円のキャッシュバックが可能とされる。キャッシュバックは、発行機１００の管理者などにより行うこととなる。例えば１００枚の金カード１０中にキャッシュバック表示１２は一枚の割合でなされることがある。
紙幣投入部１２０は例えば千円札２２０がそのスリットから挿入されるとこれを内部に引き込み、この紙幣に対してＣＣＤ素子などを用いた所定の識別処理（公知のプログラムによる）を行う。検知部１３０による識別処理の結果、適正な紙幣と判定すると、図示していない制御部をして排出部１４０（排出スロット）から１枚の金カード１０を排出する。これらの紙幣投入部１２０，検知部１３０，排出部１４０の詳細な機構については公知の構造を採用するため、ここでは省略している。
【００１４】
以下、上記金カード１０および金カード発行機１００によるキャッシュバックシステムについて説明する。
すなわち、例えば千円札２２０を投入部スロット１２０に投入すると、検知部１３０にて識別処理されて真正な千円札２２０と判断されることとなる。検知部１３０からの真正な紙幣（千円札）であることをＯＫを示す電気信号により制御部は、排出部１４０のスロットから１枚の金カード１０をそのストック順にしたがってストッカー１１０から排出する。もし、排出された金カード１０に特定のキャッシュバック表示１２が存在すれば、その表示にしたがった倍率でのキャッシュバックが可能となる。キャッシュバック表示が無い金カード１０ではキャッシュバックのサービスは受けることができない。キャッシュバック表示１２を有する金カード１０の割合は、そのキャッシュバック比率が高いほど低く設定することとなる。例えば５倍表示は１％、１倍表示は３％などである。
なお、キャッシュバック表示が無くてもその金カード１０は純金フィルム１４の価額に応じた価値を有する。例えば０．２ｇの純金フィルム１４がある時点で１０００円の価値を有する場合もあり得る。キャッシュバックサービスは発行機の管理人による。
なお、この自販機については、セキュリティを高めるため、各種警報機能を付加することが望ましい。さらには、遠隔地よりのコントロールを可能とする機能を付加することができる。金カードについては、その純金フィルム部分のみを金カードの台紙の凹所から容易に剥離可能とすることもできる。
また、上記金カード発行機１００にあっては、例えばゲーム機と一体に形成することができる。この場合、ゲーム機（例えばスロットルマシーン）の本体に対してこれと一体に上記金カード発行機１００の本体１０１を付設し、さらには、紙幣２２０を投入して金カード１０の発行を受けると同時にスロットルマシーンを１回だけコイン無しで遊技できるように構成することもできる。すなわち、内部配線によりこのマシーンの起動スイッチと検知部１３０のディテクタ（検知部）とを接続しておくことができる。マシーン本体は通常の形態であって例えば別売りのコインなどで作動するものとする。なお、キャッシュバック表示を有する金カード１０が発行されたときは、このマシーンの起動を連続して例えばキャッシュバックの倍率と同じ回数だけ行うことを許容しても良い。さらには、スロットルマシーンのゲームにて大当たりが生じたとき、金カード１０をその排出部１４０から排出できる構成とすることもできる。これも電気信号により制御部が排出部１４０の排出をコントロール可能とするものである。
【産業上の利用可能性】
【００１５】
この考案は、例えば金カードおよび金カード自販機としてきわめて有用である。
【符号の説明】
【００１６】
１０  金カード、
１４  純金フィルム、
１００  金カード発行機、
１１０  金カード収納部、
１２０  紙幣投入部、
１３０  検知部、
１４０  排出部、
２２０  紙幣。
【図１】
0003163155.tif 000003
【図２】
0003163155.tif 000004